(57)【特許請求の範囲】
【請求項１】
板厚紙を袋状に折りたたんで下板紙、上板紙、開封ふたを構成し、前記下板紙、前記上板紙で構成された袋の中に記録用紙を入れることによりパッケージ機能を構成し、
前記開封ふたは、先端に貼り付け部を、根本に折り曲げ線をそれぞれ有し、前記貼り付け部を上板紙に固定することにより中の用紙を封入状態にし、開封の際は開封ふたの貼り付け部と折り曲げ線との間を切り離し、開封ふたを前記折り曲げ線に沿って折り開くことにより用紙の出し入れが可能となる記録用紙収納パッケージの構造であって、
パッケージ両側面の一部に、記録用紙収納口を一端とするミシン目を設け、さらに前記上板紙に、２つのミシン目の他端同士を結ぶ折り曲げ線を設けたことを特徴とする記録用紙収納パッケージの構造。
【請求項２】
前記開封フタは、前記貼り付け部と折り曲げ線との間にミシン目部を有しており、開封の際は前記ミシン目部で開封フタを切り離すことにより開封することを特徴とする、請求項１に記載の記録用紙収納パッケージの構造。
【請求項３】
前記下板紙が前記上板紙より長く構成されており、記録用紙収納口の近辺の下板紙で、下板紙が上板紙より長く構成された部分に折り曲げ線を設けたことを特徴とする請求項１又は２に記載の記録用紙収納パッケージの構造。
【請求項４】
前記開封ふたの折り曲げ線と記録用紙収納口の距離を５ｍｍ以上設けたことを特徴とする請求項１〜３のいずれか一項に記載の記録用紙収納パッケージの構造。
【請求項５】
さらにパッケージ側面壁を有する記録用紙収納パッケージにおいて、パッケージ両側面壁の上端稜線の一部に、記録用紙収納口を一端とするミシン目を設け、さらに前記上板紙に、２つのミシン目の他端同士を結ぶ折り曲げ線を設けたことを特徴とする請求項１に記載の記録用紙収納パッケージの構造。
【請求項６】
前記下板紙が前記上板紙より長く構成されており、記録用紙収納口の近辺の下板紙で、下板紙が上板紙より長く構成された部分に折り曲げ線を設けたことを特徴とする請求項５記載の記録用紙収納パッケージの構造。
【発明の詳細な説明】
【０００１】
【発明の属する技術分野】
本発明はプリンター等に用いられる記録用紙を比較的少量で小売りする場合の収納用パッケージの構造、特に板厚紙を用いた堅牢性の高い収納用パッケージのに関する。
【０００２】
【従来の技術】
プリンター等に使用される用紙は一般的に普通紙（コピー用紙）と呼ばれるものと専用紙と呼ばれる用紙に大別されるが、その小売り用のパッケージ形態は小売り数量（枚数）、価格によりことなる。通常は比較的低価格な普通紙は数１００枚単位で包装用紙によるキャラメル包装、又比較的値段の高い専用紙は数枚から１００枚程度で、用紙の印刷特性を維持するため、プラスチックフィルムの袋、或いはプラスチックフィルムの袋と厚紙による堅牢なパッケージが用いられている。
【０００３】
図１、２は現在一般的に使用されている構成を示すもので、図１はパッケージの開封前の断面斜視図、図２は開封後の斜視図を示す。
【０００４】
図に示すように、１枚の板厚紙を袋状に折りたたみ、下板紙１、上板紙２、ミシン目付開封ふた３、引っかけ部４を構成し、下板紙１、上板紙２で構成された袋の中に記録用紙６を入れることによりパッケージ機能を構成させる。さらに、ミシン目付開封ふた３は開封ふた３ａ、ミシン目部３ｂ、張り付け部３ｃにより構成され、張り付け部３ｃを接着により上板紙２に固定する事により、中の用紙は完全に封入状態となる。開封するためには、ミシン目部３ｂを２本のミシン目３ｄ、３ｄ’で切り放し、開封ふた３ａを折り開くことにより、用紙の出し入れが可能となる。なお、開封ふた３ａはその根本に折り曲げ線１１を入れ、折り曲げ易くすることも必要な構成の一つである。また引っかけ部４は引っかけ穴４ａを、上板紙２には用紙取り出し切り欠き２ａを構成し、より使いやすいパッケージとしている。
【０００５】
しかし、この構成においては、用紙６を取り出す際に、開閉ふた３ａが邪魔をし、用紙が曲がりながら出すこととなり、用紙のカール、折れを生じさせる原因となり、また、上板紙の端面２ｂ部で用紙６を傷つける等の致命的な欠点がある。
【０００６】
これらの欠点を解消するため、切り欠き部をパッケージの側面まで大きく切り欠くこと（図２に於いて、点線で示す）も提案されているが、この場合は、用紙が外気に直接触れることとなり、用紙の保存性から好ましくない。もちろん用紙をビニール袋に入れたうえでパッケージに入れれば解消出来るが、外観上中味が見える状態であり好ましくなく、また二重の包装になるなど好ましくない。
【０００７】
【発明が解決しようとする課題】
本発明は図１、図２に示す如く厚板紙の折り曲げタイプのパッケージに於いて、パッケージの製造方法を変えることなく、また、パッケージの構造を複雑にする事なく、封入された記録用紙を容易、且つ傷つけること無く出し入れ出来る構造を提供する事を目的とするものである。
【０００８】
【課題を解決するための手段】
折り曲げタイプのパッケージに於いて、パッケージ中の用紙を容易、且つ傷つけること無く出し入れ出来るようにするため、本発明に於いては、第一の構成として、図３、図４に示す如く、記録用紙収納口５の両端、すなわち上板紙２の記録用紙収納口５側の両側面にミシン目７を構成し、同時に両端のミシン目７を結ぶように上板紙２に打刻等の折り曲げ線９を構成する。この構成により、記録用紙６の取り出しに当たっては、まず両端２ヶ所のミシン目７を切り放し、折り曲げ線９に沿って上板紙２の収納口ふた８を折り曲げ、封入された記録用紙の一部を露出させることにより、記録用紙の端部を持って容易に取り出すことが出来る。折り曲げ線９の位置、すなわち開口の大きさは、寸法Ｙにより決定されるが、これは、用紙の幅の寸法により適宜に設定することが必要である。具体的には、例えばＡ４サイズの用紙であれば、寸法Ｙは約２０〜３０ｍｍが適切である。
【０００９】
第２の構成は図３、図４に示す如く、開閉ふた３ａの折り曲げ位置１１と記録用紙６の用紙収納口５の距離、すなわち、寸法Ｘを多めに設定することにより記録用紙の出し入れの際、用紙の曲がりを最小限に抑えることが可能となる。又、用紙を出す際、パッケージのエッジ部が用紙面に当たらないため、傷を付けずに取り出すこと可能となる。この寸法Ｘは従来に於いては、加工上のバラツキを吸収する程度（数ミリ）しかとられていないため、非常に出し入れがやりにくかった。
【００１０】
この寸法Ｘはもちろん大きい程良いと考えられるが、パッケージの大きさ、或いは、パッケージを構成する厚板紙の厚さ、例えば厚さ０．５ｍｍ程度の場合を考えると、寸法Ｘは５〜１０ｍｍで用紙の出し入れが非常に容易となる。
【００１１】
第３の構成は同じく、図３、図４に示す如く、用紙収納口５の近辺の下板紙１に折り目線１０を設け、用紙６の出し入れ時に図３に示す矢印の方向に折り曲げることにより、用紙を曲げる事なく出し入れ出来るようになる。
【００１２】
以上本発明の構成について、幾つかの実施例を紹介しながら説明してきたが、いずれも、パッケージの基本構成として、従来技術の項で説明した通り、１枚の板厚紙を袋状に折りたたみ、下板紙１、上板紙２、ミシン目付ふた３、引っかけ部４を構成し、下板紙１、上板紙２で構成された袋の中に用紙６を入れることによりパッケージ機能を構成させ、さらに、ミシン目付ふた３は開封ふた３ａ、ミシン目部３ｂ、張り付け部３ｃにより構成され、張り付け部３ｃを接着により上板紙２に固定する事により、中の用紙は完全に封入状態を構成する。当然のことながら、張り付け部３ｃを接着により上板紙２に固定する前に用紙６を用紙収納口５から入れておくことは言うまでもない。この際、用紙収納口５の両側面に設けたミシン目７を切らないよう注意して用紙を入れることが必要である。
【００１３】
一方、上記により封入された用紙６を取り出すためには、ミシン目付ふた３に構成されたミシン目部３ｂを２本のミシン目３ｄ、３ｄ’で切り放し、開封ふた３ａを折り開くことにより、用紙の出し入れが可能となる。なお、開封ふた３ａはその根本に折り目線１１を入れ、折り曲げ易くすることも必要な構成の一つである。また引っかけ部４は引っかけ穴４ａを構成し、展示する際の利便性を考慮している。
【００１４】
尚、この構成においては、板厚紙を単に一回折り曲げで用紙収納部を構成しているため、用紙の入る厚さ方向のスペースは大きくは取れないため、用紙収納量の少ないパッケージ用としての利用が好ましい。又、使用する板厚紙の厚さは用紙の大きさ、パッケージの要求強度等により選択することが必要であるが、より強度を増したい場合は、用紙と同じ大きさの保護紙（厚紙）を共に入れる構成にする事ができる。
【００１５】
また、本発明で多く使用している加工方法として、ミシン目、折り目線があるが、ミシン目については、被ミシン目加工品の厚さ等によりミシン目穴の大きさ、ピッチを適宜選択する事が必要であるがその形態は特に特定されるものではない。また、折り目線についても、線状打刻が常識的であるが、打刻の代わりにミシン目、或いはハーフカット線を入れても同様のの効果を生じさせることが出来る。
【００１６】
【発明の実施の形態】
以下に本発明の実施の形態について、より具体的に説明するが、第１の実施例は図３、図４に示される第一から第三の構成によるものであり、第二の実施例は本発明の構成を利用し、より多くの用紙を収納出来るパッケージ形態を示すものである。
【００１７】
（第１の実施例）
この実施例は図３、４に示すもので、前述の第１から第３の構成要素を全て盛り込んで作成した。具体的には、パッケージに入れる用紙は２１０ｍｍ幅で、長さ５９４ｍｍ（Ａ４幅でＡ４の長さの２倍の寸法のもの）の細長い用紙を前提に、パッケージの幅は用紙幅＋２０ｍｍ（２３０ｍｍ）、パッケージを構成する板厚紙はコートボール紙（坪量４００ｇ／ｍｍ２、厚さ約０．５ｍｍ）、寸法Ｙ＝３０ｍｍ、寸法Ｘ＝５ｍｍ、ミシン目付開封ふたは図６に示す形状のもの、折り目線１０、１１は０．８ｍｍ幅の連続打刻線、側面ミシン目７は長さ４ｍｍ、ピッチ５ｍｍの荒いミシン目で構成、中味の用紙は前述の用紙（厚さ０．２ｍｍ）を１０枚封入して作成した。
【００１８】
以上により作成したパッケージの用紙の出し入れ性を確認するため、第１に開封ふたのみを折り曲げた状態（図３の状態）で用紙を取り出すことを試みたが指を用紙収納口に差し込みにくく、又用紙を引き出す際、指で持った部分が変形を生じた。
【００１９】
次に、上板紙側面のミシン目７を切り放し、図４の状態で用紙を取り出してみたが、この場合は、用紙を１枚ずつ簡単に取り出すことが出来、且つ元に戻すことも（用紙をパッケージに入れる）容易にできた。しかし、用紙の出し入れの際に用紙が多少曲がりながらの操作となり、用紙が極端に曲がらないよう注意が必要であった。
【００２０】
さらに、パッケージの下板紙の折り曲げ線１０から点線で示す方向に折り曲げた状態で、同様な操作を行ったが、この場合は、用紙が曲がることなく、かつ用紙の出し入れに抵抗が少ない状態で操作できた。
【００２１】
（第２の実施例）
この実施例は図７に示すもので、用紙の収納枚数が多く、パッケージにかなりの厚さが必要な場合に適用する事を前提に構成したもので、本発明の第２の構成要素（寸法Ｘ）を除き、第１の構成要素のミシン目７、第３の構成要素の折り曲げ線１０で構成し、用紙収納枚数を多くするため、パッケージに側壁１２を設けている。この場合のミシン目７はこの実施例では上板紙の稜線の近辺に設けられている。又、下板紙１に設けられる折り曲げ線１０は開閉ふた３ａの基部に設けてあり、いずれも第１の実施例と同様な操作が可能であり、同じ効果がある。
【００２２】
【発明の効果】
本発明の目的は当初述べた通り、図１、図２に示す如くの厚板紙の折り曲げタイプのパッケージに於いて、封入された記録用紙を容易、且つ傷つけること無く出し入れ出来る構造を提供する事を目的とし、用紙収納口のパッケージ両側面の一部にミシン目の構成、開封ふたの折り目位置と用紙収納口の距離の設定、用紙収納口の近辺の下板紙に折り目線の構成を構成要素としたことを特徴とするもので、本発明の実施により、封入された記録用紙を容易に、且つ傷つけること無く出し入れが可能となる。
【００２３】
すなわち、第１の構成要素である「用紙収納口のパッケージ両側面の一部にミシン目を設ける」ことにより、用紙の取り出し時に於いて、ミシン目を切り放すことにより大きな取り出し開口部が出来、用紙を取り出す操作が非常に容易となると共に、用紙取り出す際のパッケージとのスリ傷を低減できる。
【００２４】
また、第２の構成要素である「開封ふたの折り目位置と用紙収納口の距離の設定」においては、用紙を出し入れする際の用紙の曲がりが低減できる。
【００２５】
さらに、第３の構成要素である「用紙収納口の近辺の下板紙に折り目線の構成」においては、用紙の出し入れの方向に障害物が無くなるため、用紙を曲げることなく、出し入れ出来る。
【００２６】
また、第２の実施例においては、形態として用紙の収納枚数が多くなる分、箱形の形状となり、本発明の第１、３の構成要素により構成されるが、前述と同じ効果を生ずる。
【００２７】
尚、本発明は製造上においては、ミシン目、折り曲げ線の加工を追加するのみであり、従来の設備をそのまま利用でき、又加工工程も同一ラインで可能である。そのため、従来と同じコストで前述の大きな効果を得ることが出来るものである。
【図面の簡単な説明】
【図１】従来の一般的な記録用紙収納パッケージの構造を示す断面斜視図。
【図２】従来の記録用紙収納パッケージの開封状態を示す斜視図。
【図３】本発明の一部開封状態を示すを断面斜視図。
【図４】本発明の開封状態を示す斜視図。
【図５】本発明の記録用紙封入状態を示す断面構造図。
【図６】本発明で使用したミシン目付開封ふたのミシン目形状図。
【図７】本発明の第２の実施例を示す斜視図。
【符号の説明】
１  下板紙
２  上板紙
３  ミシン目付開封ふた
３ａ  開封ふた
３ｂ  ミシン目部
３ｃ  張り付け部
３ｄ  ミシン目
４  引っかけ部
５  記録用紙収納口
６  記録用紙
７  ミシン目
８  収納口ふた
９  上板紙折り曲げ線
１０  下板紙折り曲げ線
１１  開封ふた折り曲げ線
１２  パッケージ側壁
【図１】
0003632406.tif 000002
【図２】
0003632406.tif 000003
【図３】
0003632406.tif 000004
【図４】
0003632406.tif 000005
【図５】
0003632406.tif 000006
【図６】
0003632406.tif 000007
【図７】
0003632406.tif 000008